(57)【特許請求の範囲】
【請求項１】
通電時に電磁力を発生する電磁コイル（１３）と、
前記電磁コイル（１３）の電磁力により駆動される可動接点（１１）と、
前記可動接点（１１）に対向して配置されて、前記可動接点（１１）が接離する固定接点（１０）と、
前記固定接点（１０）を所定位置に保持する板状の保持部材（１８）とを備える電磁継電器を準備し、
前記保持部材（１８）に形成された透孔（１８ｃ）を変形させることにより、前記両接点（１０、１１）間の接点間隔（Ｌ）の方向（Ｃ）に前記固定接点（１０）を移動させて、前記接点間隔（Ｌ）を設定する電磁継電器の製造方法において、
前記透孔（１８ｃ）に挿入される工具（２０）により、前記透孔（１８ｃ）を前記接点間隔方向（Ｃ）に押し拡げて前記固定接点（１０）を移動させることを特徴とする電磁継電器の製造方法。
【請求項２】
前記工具（２０）において前記透孔（１８ｃ）の内縁部に当接する面のうち前記固定接点（１０）側の面（２０ａ）を、前記接点間隔方向（Ｃ）に対して傾斜させ、
前記工具（２０）において前記透孔（１８ｃ）の内縁部に当接する面のうち反固定接点側の面（２０ｂ）を、前記接点間隔方向（Ｃ）に対して垂直とし、
前記工具（２０）を、前記接点間隔方向（Ｃ）に対して垂直方向に移動させることを特徴とする請求項１に記載の電磁継電器の製造方法。
【請求項３】
前記保持部材（１８）における前記工具（２０）の移動方向両面を治具（２１、２２）により挟んだ状態で、前記工具（２０）を移動させることを特徴とする請求項２に記載の電磁継電器の製造方法。
【請求項４】
前記電磁コイル（１３）内に配置されて磁路を形成する固定鉄心（１４）と、前記固定鉄心（１４）に対向して配置され、前記電磁コイル（１３）の電磁力により前記固定鉄心（１４）側に吸引される可動鉄片（１５）とを備え、前記可動鉄片（１５）とともに前記可動接点（１１）が駆動される電磁継電器の製造方法であって、
前記固定鉄心（１４）と前記可動鉄片（１５）との間に所定厚みのゲージ（３０）を配置して前記可動鉄片（１５）を吸引した状態で、前記工具（２０）により前記両接点（１０、１１）が接触する位置まで前記固定接点（１０）を移動させることを特徴とする請求項１ないし３のいずれか１つに記載の電磁継電器の製造方法。
【発明の詳細な説明】
【０００１】
【発明の属する技術分野】
本発明は、電気回路の開閉を行う電磁継電器の製造方法に関するものである。
【０００２】
【従来の技術】
近年、電磁継電器の小型化のニーズが高まってきており、それに対応するには、構成部品の加工精度および組立精度の向上が不可欠である。そして、特許第２８９２２３０号公報には、その組立精度のうち固定接点と可動接点間の対向間隔（以下、接点間隔という）を精度よく設定することを目的とした電磁継電器が示されている。
【０００３】
上記公報に記載の電磁継電器は、図５に示すように、固定接点１０の保持部材１８に透孔１８ｃを形成し、透孔１８ｃを塑性変形させることにより固定接点１０を可動接点１１側に移動させて接点間隔Ｌを設定するようにしており、塑性変形量を管理することにより接点間隔Ｌを高精度に設定することができる。
【０００４】
【発明が解決しようとする課題】
しかしながら、上記公報に記載の電磁継電器は、保持部材１８の幅方向Ｘ（固定接点１０の移動方向Ｙに対して垂直方向、且つ保持部材１８の厚み方向に対して垂直方向）両側から工具により荷重を加えて透孔１８ｃを変形させるため、保持部材１８の幅方向Ｘ両側に工具挿入スペースを確保する必要があり、工具挿入スペースを確保できない電磁継電器には上記設定方法を適用できないという問題があった。
【０００５】
また、透孔１８ｃを変形させる際、保持部材１８に加わる荷重の方向Ｘに対して固定接点１０は略垂直方向に移動するため、換言すると両方向が一致しないため、固定接点１０の移動方向の制御が難しく、固定接点１０が移動する際に固定接点１０が傾きやすくなり、従って、両接点１０、１１の平行度が狂いやすいという問題があった。
【０００６】
本発明は上記の点に鑑みてなされたもので、保持部材に形成された透孔を変形させることにより固定接点を移動させて接点間隔を設定する電磁継電器の製造方法において、保持部材の幅方向両側に工具挿入スペースを確保できない電磁継電器においても、透孔を変形させて接点間隔を設定可能にすることを目的とする。
【０００７】
【課題を解決するための手段】
上記目的を達成するため、請求項１に記載の発明では、通電時に電磁力を発生する電磁コイル（１３）と、電磁コイル（１３）の電磁力により駆動される可動接点（１１）と、可動接点（１１）に対向して配置されて、可動接点（１１）が接離する固定接点（１０）と、固定接点（１０）を所定位置に保持する板状の保持部材（１８）とを備える電磁継電器を準備し、保持部材（１８）に形成された透孔（１８ｃ）を変形させることにより、両接点（１０、１１）間の接点間隔（Ｌ）の方向（Ｃ）に固定接点（１０）を移動させて、接点間隔（Ｌ）を設定する電磁継電器の製造方法において、透孔（１８ｃ）に挿入される工具（２０）により、透孔（１８ｃ）を接点間隔方向（Ｃ）に押し拡げて固定接点（１０）を移動させることを特徴とする。
【０００８】
これによると、透孔に挿入される工具を用いるため、保持部材の幅方向両側に工具挿入スペースを確保できない電磁継電器においても、透孔を変形させて接点間隔を精度よく設定することができる。
【０００９】
また、保持部材の幅方向両側には工具挿入スペースを必要とせず、工具を透孔に挿入するスペースがあればよいため、多連に配置される電磁継電器の省スペース化が図りやすくなる。
【００１０】
また、透孔を接点間隔方向に押し拡げて固定接点を移動させるため、工具から保持部材に加わる荷重の方向が固定接点の移動方向と略一致し、従って、固定接点が移動する際の固定接点の傾きが少なくなり、固定接点移動後の両接点の平行度の狂いを少なくすることができる。
【００１１】
なお、請求項１の発明は、請求項２に記載の発明のように、工具（２０）において透孔（１８ｃ）の内縁部に当接する面のうち固定接点（１０）側の面（２０ａ）を、接点間隔方向（Ｃ）に対して傾斜させ、工具（２０）において透孔（１８ｃ）の内縁部に当接する面のうち反固定接点側の面（２０ｂ）を、接点間隔方向（Ｃ）に対して垂直とし、工具（２０）を、接点間隔方向（Ｃ）に対して垂直方向に移動させることにより実施することができる。
【００１２】
請求項３に記載の発明では、保持部材（１８）における工具（２０）の移動方向両面を治具（２１、２２）により挟んだ状態で、工具（２０）を移動させることを特徴とする。
【００１３】
ところで、請求項２の発明の場合、工具から保持部材に加わる荷重の分力により、保持部材が工具の移動方向に曲げられてしまう。これに対し、請求項３の発明によれば、治具により工具の移動方向への保持部材の曲がりが防止されるため、固定接点移動後の両接点の平行度の狂いをさらに少なくすることができる。
【００１４】
請求項４に記載の発明では、電磁コイル（１３）内に配置されて磁路を形成する固定鉄心（１４）と、固定鉄心（１４）に対向して配置され、電磁コイル（１３）の電磁力により固定鉄心（１４）側に吸引される可動鉄片（１５）とを備え、可動鉄片（１５）とともに可動接点（１１）が駆動される電磁継電器の製造方法であって、固定鉄心（１４）と可動鉄片（１５）との間に所定厚みのゲージ（３０）を配置して可動鉄片（１５）を吸引した状態で、工具（２０）により両接点（１０、１１）が接触する位置まで固定接点（１０）を移動させることを特徴とする。
【００１５】
これによると、エアギャップが精度よく設定されるため、実使用時の両接点の接触圧を精度よく設定することができる。
【００１６】
なお、上記各手段の括弧内の符号は、後述する実施形態に記載の具体的手段との対応関係を示すものである。
【００１７】
【発明の実施の形態】
（第１実施形態）
図１ないし図３は本発明の第１実施形態を示すもので、図１は電磁継電器の断面図、図２は図１のＡ部の拡大図である。また、図３は接点間隔の設定工程を示すもので、図１のＢ−Ｂ線に沿う断面図である。
【００１８】
図１ないし図３において、１０は固定接点であり、１１は固定接点１０に対して可動する可動接点である。この可動接点１１が装着された板バネ１２は、可動接点１１が固定接点１０から離れる向きの弾性力を可動接点１１に作用させるとともに、電気回路の一部を兼ねる。
【００１９】
また、通電時に電磁力を発生する電磁コイル１３（以下単にコイルという）およびコイル１３内に配置されて磁束の磁路を形成する固定鉄心１４を有し、板バネ１２には固定鉄心１４側に吸引される可動鉄片１５が装着されている。なお、可動接点１１および可動鉄片１５は、かしめによって板バネ１２に固定されている。ヨーク１６は、樹脂製のベース１７に固定されてコイル１３及び板バネ１２を保持すると共に、コイル１３により誘起された磁束の磁路を構成する。
【００２０】
ベース１７に固定された金属製板状の保持部材１８の一端側は、コイル１３等を覆うカバー１９内に位置し、このカバー１９内に位置する部分はＬ字状に曲げられて第１板部１８ａと第２板部１８ｂが形成されている。第１板部１８ａは固定接点１０と可動接点１１の接点間隔方向Ｃに延びており、第２板部１８ｂは第１板部１８ａの端部から接点間隔方向Ｃに対して垂直方向に延びている。そして、第２板部１８ｂには固定接点１０がかしめによって固定されており、保持部材１８は電気回路の一部を兼ねる。
【００２１】
第１板部１８ａには、その厚み方向に貫通した透孔１８ｃが形成されており、この透孔１８ｃの内縁部には、接点間隔方向Ｃに対して垂直方向に延びると共に、接点間隔方向Ｃに所定の間隔を持って位置する２つの加工基準面１８ｄ、１８ｅが形成されている。以下、固定接点１０側の加工基準面１８ｄを第１加工基準面、反固定接点側の加工基準面１８ｅを第２加工基準面という。
【００２２】
上記構成になる電磁継電器は、コイル１３に通電すると、その電磁吸引力により可動鉄片１５が固定鉄心１４に吸引され、可動接点１１が固定接点１０に当接して電気回路が閉じる。
【００２３】
次に、両接点１０、１１間の接点間隔Ｌの設定方法について説明する。
【００２４】
なお、接点間隔Ｌの設定は、カバー１９が装着されていない状態で行われる。また、接点間隔Ｌの設定時には、工具２０、受け治具２１、押さえ治具２２、およびばね２３が用いられる。
【００２５】
工具２０は、保持部材１８の透孔１８ｃに挿入されて透孔１８ｃを変形させるもので、透孔１８ｃの第１加工基準面１８ｄに当接する第１平面２０ａは、接点間隔方向Ｃに対して傾斜した面となっており、透孔１８ｃの第２加工基準面１８ｅに当接する第２平面２０ｂは、接点間隔方向Ｃに対して垂直な面となっている。また、工具２０は、図示しない駆動手段によって、接点間隔方向Ｃに対して垂直方向（換言すると、第１板部１８ａの厚み方向）に移動されるようになっている。
【００２６】
受け治具２１および押さえ治具２２は、第１板部１８ａにおける透孔１８ｃの周囲を工具２０の移動方向両側（換言すると、第１板部１８ａの厚み方向両側）から挟み込んで保持するもので、受け治具２１および押さえ治具２２の中心部には貫通穴２１ａ、２２ａが形成されている。
【００２７】
接点間隔Ｌの設定に際しては、まず、受け治具２１および押さえ治具２２により第１板部１８ａを挟み込み、次いで工具２０を図３の上方から下方に向かって移動させて、工具２０を、押さえ治具２２の貫通穴２２ａ、第１板部１８ａの透孔１８ｃ、および受け治具２１の貫通穴２１ａに順に挿入する。
【００２８】
そして、工具２０の第１、第２平面２０ａ、２０ｂが、透孔１８ｃの第１、第２加工基準面１８ｄ、１８ｅに当接した後、工具２０をさらに移動させると、第１、第２加工基準面１８ｄ、１８ｅ間の間隔が拡がるように透孔１８ｃが押し拡げられる。この変形に伴い、自由端である第２板部１８ｂが可動接点１１側に移動し、従って固定接点１０が可動接点１１側に移動する。この固定接点１０の移動により接点間隔Ｌが狭まり、接点間隔Ｌが所定の値になった時点で工具２０を停止する。
【００２９】
本実施形態によると、透孔１８ｃに挿入される工具２０を用いるため、保持部材１８の幅方向Ｘ両側に工具挿入スペースを確保できない電磁継電器においても、透孔１８ｃを変形させて接点間隔Ｌを精度よく設定することができる。
【００３０】
また、透孔１８ｃを接点間隔方向Ｃに押し拡げて固定接点１０を移動させるため、工具から第１板部１８ａに加わる荷重の方向が固定接点１０の移動方向と略一致する。従って、固定接点１０が移動する際の固定接点１０の傾きが少なくなり、固定接点移動後の両接点１０、１１の平行度の狂いを少なくすることができる。
【００３１】
また、第１板部１８ａを工具２０の移動方向に曲げようとする力が、工具２０から第１板部１８ａに作用するが、受け治具２１および押さえ治具２２により第１板部１８ａの曲がりが防止されるため、固定接点移動後の両接点１０、１１の平行度の狂いをさらに少なくすることができる。
【００３２】
（第２実施形態）
図４は第２実施形態を示すもので、本実施形態では、固定鉄心１４と可動鉄片１５との間にゲージ３０を配置して、接点間隔Ｌの設定を行うようにしている。なお、その他の点は第１実施形態と共通する。
【００３３】
図４において、接点間隔Ｌの設定に際しては、まず、エアギャップを確保するためのゲージ３０を固定鉄心１４と可動鉄片１５との間に挿入した状態でコイル１３に通電し、可動鉄片１５を固定鉄心１４側に吸引する。次いで、可動鉄片１５を吸引した状態で、第１実施形態と同様の方法で固定接点１０を可動接点１１側に移動させ、両接点１０、１１の導通または接触を確認できた時点で、工具２０を停止する。
【００３４】
これによると、エアギャップが精度よく設定されるため、実使用時の両接点１０、１１の接触圧を精度よく設定することができる。
【００３５】
（他の実施形態）
上記各実施形態において、接点間隔Ｌの設定後工具２０を原位置に戻した際の保持部材１８のスプリングバック量を、下記のａ、ｂの方法で補正することにより、接点間隔Ｌをさらに高精度に設定することができる。
【００３６】
（ａ）  多数の電磁継電器にて予め保持部材１８のスプリングバック量の平均値を確認しておき、その後に製造される電磁継電器の接点間隔Ｌの設定の際、平均スプリングバック量分だけ一律に余分に変形させる。
【００３７】
（ｂ）  個々の電磁継電器毎に、保持部材１８のスプリングバック量を計測し、その量に応じて追加変形させる。
【００３８】
また、上記各実施形態において、工具２０を移動させる駆動手段としてパルスモータを使用することにより、工具２０の移動量を精密に制御することができる。
【図面の簡単な説明】
【図１】本発明の第１実施形態に係わる電磁継電器の断面図である。
【図２】図１のＡ部の拡大図である。
【図３】図１の電磁継電器における接点間隔Ｌの設定工程を示す断面図である。
【図４】本発明の第２実施形態に係わる電磁継電器の断面図である。
【図５】従来の電磁継電器の断面図である。
【符号の説明】
１０…固定接点、１１…可動接点、１８…保持部材、１８ｃ…透孔、
Ｃ…接点間隔方向、Ｌ…接点間隔。
【図１】
0004374810.tif 000002
【図２】
0004374810.tif 000003
【図３】
0004374810.tif 000004
【図４】
0004374810.tif 000005
【図５】
0004374810.tif 000006